(57)【要約】【課題】合併処理浄化装置の維持管理が容易に行えるようにする。【解決手段】流量調整槽ａと計量槽ｂと生物処理槽ｄと沈澱槽ｅと汚泥濃縮貯留槽ｃとを備え、流量調整槽ａに受け入れた汚水を、計量槽ｂにより所定の流量に調整して生物処理槽ｄに移送し、その生物処理槽ｄにおいて生物処理した汚水を順次沈澱槽ｅに移送して汚泥を沈澱させて上澄みを放流し、沈澱した汚泥を引き抜き汚泥濃縮貯留槽ｃに移送して貯留濃縮する合併処理浄化装置において、汚泥濃縮貯留槽ｃには、そこに沈澱する重い汚泥とガスを含む軽い汚泥との中間に分離して生成してくる脱離液を生物処理槽ｄに返送する返送管ｆを設けて、汚泥濃縮貯留槽ｃと生物処理槽ｄと沈澱槽ｅとを汚水が循環する。【選択図】　　　　図３
2004113971.tif 000002
【特許請求の範囲】
【請求項１】
流量調整槽ａと計量槽ｂと生物処理槽ｄと沈澱槽ｅと汚泥濃縮貯留槽ｃとを備え、流量調整槽ａに受け入れた汚水を、計量槽ｂにより所定の流量に調整して生物処理槽ｄに移送し、その生物処理槽ｄにおいて生物処理した汚水を順次沈澱槽ｅに移送して汚泥を沈澱させて上澄みを放流し、沈澱した汚泥を引き抜き汚泥濃縮貯留槽ｃに移送して貯留濃縮する合併処理浄化装置において、汚泥濃縮貯留槽ｃには、そこに沈澱する重い汚泥とガスを含む軽い汚泥との中間に分離して生成してくる脱離液を生物処理槽ｄに返送する返送管ｆを設けて、汚泥濃縮貯留槽ｃと生物処理槽ｄと沈澱槽ｅとを汚水が循環するようにすることを特徴とする合併処理浄化装置。
【請求項２】
汚泥濃縮貯留槽ｃに、そこに生成してくる脱離液を生物処理槽ｄに返送する返送管ｆと流量調整槽ａに溢流させる返送管１とを装備せしめることを特徴とする請求項１記載の合併処理浄化装置。
【発明の詳細な説明】
【０００１】
【発明が属する技術分野】
汚水を生物処理により浄化する汚水の浄化処理手段に関する。
一層具体的にいえば、供給される汚水を受け入れて一定の流量に調整して送り出す流量調整槽と、送り出される汚水を、微生物を坦持させた坦体または、ばっ気により浄化処理する生物処理槽と、処理した汚水から汚泥を沈澱させて分離する沈澱槽と、沈澱槽に沈澱した汚泥をその沈澱槽から常時または一定の時間毎に抜き出して貯留し濃縮する汚泥濃縮貯留槽とから合併処理浄化装置についての改良に関する。
【０００２】
【従来の技術】
合併処理浄化装置は、通常、図１に示しているように、汚水の供給ラインＬに接続する流量調整槽ａと、ここからポンプＰで汲み出される汚水を一定の流量に計量して吐出する汚水計量槽ｂと、所定の流量に計量されて流出する汚水を受け入れる生物処理槽ｄと、ここで処理された処理水から汚泥を沈澱させて分離する沈澱槽ｅと、この沈澱槽ｅに沈澱した汚泥を、常時または間欠的に引き抜いて貯留し濃縮する汚泥濃縮貯留槽ｃとで構成される。
【０００３】
そして、供給ラインＬ１から供給される汚水は、流量調整槽ａから水中ポンプなどの移送ポンプＰで計量槽ｂに送り、そこから一定の流出量に調整して生物処理槽ｄに送り込み、ここで、微生物を坦持させた坦体または濾材に接触させるか、または、ばっ気により生物処理を行い、この処理を行った汚水を沈澱槽ｅに順次溢流させて移送し、この沈澱槽ｅで汚泥を重力により沈降させ、沈積した汚泥を、常時または間欠的に引き抜いて移送ラインＬ２により汚泥濃縮貯留槽ｃに移送し、ここで、重い汚泥とガスを含む軽い汚泥とに分離させ、そのとき脱離してくる中間の脱離液を脱離液返送管１により流量調整槽ａに返送するようにする。
【０００４】
そして、これにより、供給ラインＬ１から流量調整槽ａに供給された汚水が、図２のフローシートに示しているように、流量調整槽ａから計量槽ｂを経て生物処理槽ｄに送られ、そこから沈澱槽ｅに移送され、そこに沈澱する汚泥が引き抜かれて汚泥濃縮貯留槽ｃに移送され、そこで分離する脱離液が流量調整槽ａに返送され、汚水と共にふたたび計量槽ｂから生物処理槽ｄに供給されるように循環し、この循環の間に、沈澱槽ｅにおいて、沈降する汚泥から分離した上澄みの液を処理水として溢流させて放流するか、さらに消毒槽を経て、所定の規準の水質の処理水として放流する。
【０００５】
また、この循環の間に次第に集積してくる汚泥濃縮貯留槽ｃ内の汚泥を、所定の間隔をおいて定期的に行うバキウム車による引き抜きで、外部に排除するようにし、これにより、汚水の生物処理による浄化が行われるようにしている。
【０００６】
【発明が解決しようとする課題】
合併処理浄化装置は、流量調整槽ａに供給される汚水を、計量槽ｂにより流出量を調整して生物処理槽ｄに送り込み、ここで生物処理した処理水を沈澱槽ｅに順次溢流させて移送し、この沈澱槽ｅにおいて重い汚泥を沈澱させ、その汚泥を常時または間欠的に引き抜いて移送ラインＬ２により汚泥濃縮貯留槽ｃに移送し、ここで重い汚泥と、ガスを含む軽い汚泥とに分離させて、中間に生ずる脱離液を返送管１により流量調整槽ａに溢流返送することで計量槽ｂを経て、再び生物処理槽ｄに戻すよう循環させ、この循環の間に、沈澱槽ｅにおいて沈降する汚泥から分離した上澄みの処理水を順次放流していくのであるから、計量槽ｂから生物処理槽ｄに送り込む汚水の流量と、沈澱槽ｅから引き抜いて汚泥濃縮貯留槽ｃに戻す汚泥の戻し量とが適切に調整されていれば、生物処理槽ｄにおける汚水の生物処理および沈澱槽ｅからの処理水の溢流放出が、適切に行われて、汚水を所定の規準の水質の処理水として放流していくようになる。
【０００７】
この合併処理浄化装置においては、計量槽ｂから生物処理槽ｄに供給する汚水の流量および沈澱槽ｅから汚泥を引き抜いて汚泥濃縮貯留槽ｃに戻す汚泥の戻し量を適切にするよう維持管理することが、生物処理を有効に働かすよう施設を稼働機能させるための、重要な条件となる。
【０００８】
これは、計量槽ｂからの汚水の供給量が多目であれば、生物処理槽ｄから沈澱槽ｅに溢流してくる汚水の量が多くなって、沈澱槽ｅにおける汚泥の沈降による分離が充分に行われないまま、沈澱槽ｅから放流されるようになることから、沈澱槽ｅからの引き抜きの頻度を多くして引き抜き量を増やさなければならない。そのようにすると、汚水の循環が早くなって、汚水の生物処理槽ｄでの滞留時間が短くなり、生物処理の効率が低下してくる。また、計量槽ｂからの流出量をおとし、沈澱槽ｅからの引き抜き量を少なくして、循環させる汚水の量を小さくすると、沈澱槽ｅにおいて沈降した汚泥が古くなることでガスが発生して、浮遊汚泥が生じ、これが、放流水と共に流出して、放流水の水質を悪くするようになるからであり、このことから、汚水の供給量と汚泥の引き抜き量との調整の管理が、この合併処理浄化装置の運転・稼働する上に重要な要件となってくる。
【０００９】
しかし、この合併処理浄化装置の稼働・運転の維持管理は、例えば、生物処理槽ｄにおける微生物の活動が、温度・気温の変動により変化することなどから、日々、生物処理槽ｄにおける汚水の処理状況および沈澱槽ｅにおける汚泥の沈降状態を、目視により監視しながら、マンコントロールで行わなければならない。このため、合併処理浄化装置におけるこの維持管理は、甚だ厄介なものとなっている。
【００１０】
本発明は、従前の合併処理浄化装置に生じている維持管理が面倒で厄介な問題を解消するためになされたものであって、その維持管理が簡略に行えるようにする新たな手段を提供することを目的とする。
【００１１】
【課題を解決するための手段】
本発明は、上述の目的を達成するために、種々の試行錯誤を重ねて得られた知見によってなされたものである。
【００１２】
即ち、従前手段にあっては、沈澱槽ｅから引き抜いて汚泥を貯留させる汚泥濃縮貯留槽ｃにおいて、汚泥と分離した脱離液を、流量調整槽ａに戻すよう溢流させていることで、生物処理槽ｄに供給される汚水の供給量と、沈澱槽ｅからの汚泥の引き抜き量とを、沈澱槽ｅからの処理水の流出・放流が、適正な水質に保持されて行われるように、バランスされた状態に調整するようにするが、この生物処理槽ｄと沈澱槽ｅとの二者の水位のバランスを、沈澱槽ｅおよび生物処理槽ｄにおける汚泥の処理状況を見ながら行わなければならない。
【００１３】
しかも、計量槽ｂから生物処理槽ｄへの汚水の流量を多くすると、これに応じて沈澱槽ｅからの汚泥の引き抜き量を多くしなければならず、そのようにすると、生物処理槽ｄにおける汚水の滞留時間が短くなって、生物処理が有効に機能しないようになる。
【００１４】
そこで、この汚泥濃縮貯留槽ｃにおいて生じる脱離液を、返送管ｆにより生物処理槽ｄに返送して、汚水が計量槽ｂを経ないで、汚泥濃縮貯留槽ｃと生物処理槽ｄと沈澱槽ｅとの三者の間を循環するようにしたところ、沈澱槽ｅにおいて沈澱した汚泥を引き抜く量が多くなっても、その汚泥が脱離液となって生物処理槽ｄに戻され、沈澱槽ｅに循環してくることで、生物処理槽ｄの水位が所定に保持され、かつ、循環することにより生物処理槽ｄにおける滞留時間を短くすることもなく、生物処理の機能を損なわせないようになり、これにより、沈澱槽ｅにおける汚泥の沈澱状況を見て汚泥の引き抜き量を調整すればよく、維持管理が、種々の操作を行わずに、簡略に行える、という結果が得られた。
【００１５】
そして、このことから、本発明においては、上述の目的を達成するための手段として、請求項１に記載した、流量調整槽ａと計量槽ｂと生物処理槽ｄと沈澱槽ｅと汚泥濃縮貯留槽ｃとを備え、流量調整槽ａに受け入れた汚水を、計量槽ｂにより所定の流量に調整して生物処理槽ｄに移送し、その生物処理槽ｄにおいて生物処理した汚水を順次沈澱槽ｅに移送して汚泥を沈澱させて上澄みを放流し、沈澱した汚泥を引き抜き汚泥濃縮貯留槽ｃに移送して貯留濃縮する合併処理浄化装置において、汚泥濃縮貯留槽ｃには、そこに沈澱する重い汚泥とガスを含む軽い汚泥との中間に分離して生成してくる脱離液を生物処理槽ｄに返送する返送管ｆを設けて、汚泥濃縮貯留槽ｃと生物処理槽ｄと沈澱槽ｅとを汚水が循環するようにすることを特徴とする合併処理浄化装置を提起するものである。
【００１６】
また、本発明手段において、汚泥濃縮貯留槽ｃに生ずる脱離液の生物処理槽ｄへの返送は、汚泥濃縮貯留槽ｃと生物処理槽ｄと沈澱槽ｅとの三者の間において汚水の循環が行われるようにするためのものであり、この循環が行われるようになればよく、汚泥濃縮貯留槽ｃに生じた脱離液の全てが生物処理槽ｄに返送されるようにする必要はなく、一部が流量調整槽ａに戻るようになっていてもよい。
【００１７】
このことから、本発明においては、請求項２に記載した、汚泥濃縮貯留槽ｃに、そこに生成してくる脱離液を生物処理槽ｄに返送する返送管ｆと流量調整槽ａに溢流させる返送管１とを装備せしめることを特徴とする請求項１記載の合併処理浄化装置を、併せて提起するものである。
【００１８】
この手段は、既設の合併処理浄化装置に、それの汚泥濃縮貯留槽ｃにおいて生ずる脱離液を生物処理槽ｄに返送する返送管ｆを装設して、本発明手段による合併処理浄化装置Ａを構成するよう改造するときの施工を容易にする利益が得られる。
【００１９】
【発明の実施の形態】
次に本発明の実施の態様を説明する。
図３は、本発明手段による合併処理浄化装置Ａの縦断した展開図で、同図において、Ｌ１は汚水が供給される供給ライン、ａは供給される汚水を受け入れる流量調整槽、Ｐ１は流量調整槽ａから汚水を汲み上げる水中ポンプなどよりなる移送ポンプ、ｂは汲み上げた汚水を所望の流量に調整して移送管２に流出させる計量槽、ｄは計量槽ｂから移送管２により流出してくる汚水を受け入れて、生物処理を行わす生物処理槽、ｅは生物処理が行われて生物処理槽ｄから溢流する汚水を受け入れ、汚水中の汚泥を沈降分離せしめる沈澱槽、ｃは、水中ポンプなどの引き抜きポンプＰ２により引き抜かれて移送ラインＬ２により移送される沈澱槽ｅ内に沈澱した汚泥を貯留し濃縮する汚泥濃縮貯留槽であり、これらは、従前の合併処理浄化装置のものと同様に構成してよい。
【００２０】
計量槽ｂは、手動操作による可動堰（図示省略）の作動により移送管２に流出する汚水の流量を調節する通常のものであり、オーバーフローする汚水を流量調整槽ａに戻す溢流管３が装備してある。
【００２１】
生物処理槽ｄは、微生物を坦持させた坦体４を汚水中に浮遊させるか、微生物を付着させた接触濾材を生物処理槽ｄ内に固定装設するか、坦体４または接触濾材を用いずに、送風機５０により生成する圧風を生物処理槽ｄ内に装備させる散気管５１に送給して汚水中に噴気させることでばっ気する形態のものとするなど、従前のものと同様に適宜に構成してよい。
【００２２】
この生物処理槽ｄの溢流口６０から溢流管６１を介して溢流する生物処理後の処理水を受け入れる沈澱槽ｅは、受け入れた汚水中の汚泥を重力により沈降させ、分離した処理水を、流出口７０から放流させる単純な沈澱槽ｅの形態のもの、または、槽ｅ内を二重管状に区画し、生物処理槽ｄから処理水を導く溢流管６１を内筒７１の内腔に連通し、その内筒７１と外筒７２との間に、濾材７３を固定装填し、この濾材７３の上方に前記流出口７０を配設して、濾材７３を流過した処理水が流出口７０から放流されていくようにした濾材組込型のものとするなど、従前手段のものと同様に適宜に構成してよい。
【００２３】
また、この沈澱槽ｅ内に沈澱する汚泥を引き抜く汚泥引き抜きポンプＰ２は、エアーリフト型、または、水中ポンプなどの通常のものでよく、これにより抜き上げる汚泥を汚泥濃縮貯留槽ｃに移送する移送ラインＬ２には、流量を計測する計量器８を設け、また、引き抜きポンプＰ２には、それの作動または、作動時間を制御する制御手段を設けておいて、引き抜く汚泥の量の調整が所望に設定し得るようにしておく。
【００２４】
しかして、引き抜いた汚泥を貯留する汚泥濃縮貯留槽ｃには、ここに貯留した汚泥が、沈積する重い汚泥とガスの発生により浮遊する軽い汚泥とに分離して、その中間に脱離液が生成分離してきたときに、この脱離液を外部に抽き出す返送管ｆを設けるが、この返送管ｆは、図３に示しているように、それの移送先を、生物処理槽ｄに接続して、脱離液が生物処理槽ｄの返送されるようにする。
【００２５】
そして、これにより、この汚泥濃縮貯留槽ｃにおいて汚泥から分離して生成される脱離液が、図４のフローシートにあるように、計量槽ｂを経ないで、汚泥濃縮貯留槽ｃから生物処理槽ｄおよび沈澱槽ｅを経て汚泥濃縮貯留槽ｃに戻るようこれら三者の間を循環するようにする。
【００２６】
【発明の効果】
以上説明したように、本発明による合併処理浄化装置は、沈澱槽ｅから抜き出して汚泥濃縮貯留槽ｃに貯留した汚泥から分離してくる脱離水が、計量槽ｃを経ずに、汚泥濃縮貯留槽ｃから生物処理槽ｄと沈澱槽ｅとを経て汚泥濃縮貯留槽ｃに戻るよう循環するようになることから、生物処理槽ｄに送る汚水の量を、生物処理の処理能力にあわせた流量に設定しておけば、沈澱槽ｅからの汚泥の引き抜き量を沈澱槽ｅにおける汚泥の沈降状況に応じて変更しても、生物処理槽ｄに送る汚水の流量をそのままにしておいてよいので、調整・管理が著しく容易になる。
【図面の簡単な説明】
【図１】従前の合併処理浄化装置の縦断した展開図である。
【図２】同上装置の汚水処理行程のフローシートである。
【図３】本発明手段による合併処理浄化装置の縦断した展開図である。
【図４】同上の装置の汚水の処理行程のフローシートである。
【符号の説明】
Ａ…合併処理浄化装置、ａ…流量調整槽、ｂ…計量槽、ｃ…汚泥濃縮貯留槽、ｄ…生物処理槽、ｅ…沈澱槽、ｆ…返送管、Ｐ１…移送ポンプ、Ｐ２…引き抜きポンプ、Ｌ１…供給ライン、Ｌ２…移送ライン、１…返送管、２…移送管、３…溢流管、４…坦体、５０…送風機、５１…散気管、６０…溢流口、６１…溢流管、７０…流出口、７１…内筒、７２…外筒、７３…濾材、８…計量器。
【図１】
2004113971.tif 000003
【図２】
2004113971.tif 000004
【図３】
2004113971.tif 000005
【図４】
2004113971.tif 000006